(57)【要約】【課題】製造に際して、電解液が注入口に付着することを抑制することができる二次電池を提供する。【解決手段】二次電池は、ケースと蓋体とからなる電槽に発電要素を収容してなる。二次電池は、蓋体に設けられていて電解液が注入される注入口と、注入口に設けられていて電槽の外から供給される電解液７５を流通させるフィルタ部５０とを備え、フィルタ部５０は、電槽の外側から内側に貫通する複数の孔部５１を有し、各孔部５１は、その貫通する方向が、電解液が注入される方向に対して傾斜を有しているとともに、注入される方向から見た開口の大きさ（開口幅ｂ）をよりも、貫通する方向から見た開口の大きさ（開口幅ａ）の方が大きい。【選択図】図４
2017152322.tif 000002
【特許請求の範囲】
【請求項１】
ケースと蓋体とからなる電槽に発電要素を収容してなる二次電池であって、
前記蓋体に設けられていて電解液が注入される注入口と、
前記注入口に設けられていて前記電槽の外から供給される電解液を流通させるフィルタ部とを備え、
前記フィルタ部は、前記電槽の外側から内側に貫通する複数の孔部を有し、
前記各孔部は、その貫通する方向が、電解液が注入される方向に対して傾斜を有しているとともに、前記注入される方向から見た開口の大きさよりも、前記貫通する方向から見た開口の大きさの方が大きい
ことを特徴とする二次電池。
【請求項２】
前記注入される方向から見た開口の大きさは、前記貫通する方向から見た開口の大きさの２５％以下かつ２％以上の大きさである
請求項１に記載の二次電池。
【請求項３】
前記電解液は非水電解質を含んでいる
請求項１又は２に記載の二次電池。
【請求項４】
前記貫通する方向から見た孔部の開口は、開口している最短の距離が１００マイクロメートル以下に設定されている
請求項１〜３のいずれか一項に記載の二次電池。
【請求項５】
前記フィルタ部は、板材からなり、前記板材の複数の箇所にはそれぞれ前記注入される方向に段差が形成されており、
前記孔部は前記段差部分に形成されている
請求項１〜４のいずれか一項に記載の二次電池。
【請求項６】
前記フィルタ部は、前記注入口から前記電槽内に延びる有底の筒状体であり、
前記孔部は、前記筒状体の周側面に設けられている
請求項１〜４のいずれか一項に記載の二次電池。
【請求項７】
前記フィルタ部は、所定の厚みの板材からなり、
前記孔部は、前記注入される方向に対して傾斜を有するように前記板材に貫通されている
請求項１〜４のいずれか一項に記載の二次電池。
【請求項８】
前記板材は、前記電槽内に突出する形状に湾曲しており、
前記孔部は、前記板材の平面であって前記注入される方向に対して傾斜する垂線方向を有する部分に設けられている
請求項７に記載の二次電池。
【発明の詳細な説明】
【技術分野】
【０００１】
本発明は、極板群及び電解液を電槽内に備える二次電池に関する。
【背景技術】
【０００２】
通常、二次電池の製造工程では、極板群を収容した電槽に電解液が注入される。この電解液の注入工程では、電槽内への異物の混入、特に金属片の混入を防ぐ必要がある。こうした電槽内への異物の混入を防ぐ技術の一例が特許文献１に記載されている。
【０００３】
特許文献１に記載の二次電池は、極板群（電池素子）を収容する缶本体の注入口（開口）を蓋体（蓋部材）で閉鎖してなる電槽（電池缶）と、電槽に注入される非水電解液とを備える非水電解質二次電池において、極板群と蓋体との間に介装される絶縁板を備える。絶縁板は、板状の絶縁板本体に注入孔を貫通して設けるとともに、絶縁板本体の片面に、注入孔を覆うように電解液のみを浸透可能な不織布からなるフィルタ部材を設けている。
【先行技術文献】
【特許文献】
【０００４】
【特許文献１】特許第４７４８１９３号公報
【発明の概要】
【発明が解決しようとする課題】
【０００５】
特許文献１に記載の二次電池によれば、不織布からなるフィルタ部材が電解液のみを浸透させるので、電解液の注入時に、金属片等の異物が缶本体の注入口から電槽内に混入することが防止される。
【０００６】
ところで、二次電池の製造工程では、電解液の注入に要する時間の短縮に併せて、注入口を封止する封止部材の溶着不良の要因となる電解液の注入口への付着を防ぐことが望まれている。しかし、不織布はそれ自身が電解液を保持するため、供給が多すぎると電解液が不織布上に浮き出して液はねを生じ、このはね返った電解液が注入口に付着するおそれがあった。
【０００７】
本発明は、このような実情に鑑みてなされたものであり、その目的は、製造に際して、電解液が注入口に付着することを抑制することができる二次電池を提供することにある。
【課題を解決するための手段】
【０００８】
上記課題を解決する二次電池は、ケースと蓋体とからなる電槽に発電要素を収容してなる二次電池であって、前記蓋体に設けられていて電解液が注入される注入口と、前記注入口に設けられていて前記電槽の外から供給される電解液を流通させるフィルタ部とを備え、前記フィルタ部は、前記電槽の外側から内側に貫通する複数の孔部を有し、前記各孔部は、その貫通する方向が、電解液が注入される方向に対して傾斜を有しているとともに、前記注入される方向から見た開口の大きさよりも、前記貫通する方向から見た開口の大きさの方が大きいことを特徴とする。
【０００９】
電解液が注入されるとき、フィルタ部を通過した電解液はすぐに極板群に当たるため、極板群への当たりや、極板群付近への一時的な滞留により液はねを生じ、このはねた飛沫がフィルタ部の孔部を通り抜けて注入口に付着するおそれもある。この点、このような構成によれば、電解液が注入される方向、いわゆる電解液が流れ落ちる方向には、孔部が傾斜を有し、かつ見た目の開口が小さくなるため、電槽内ではねた飛沫が孔部を通過して注入口に付着するおそれが低減される。そして、その上でフィルタ部の孔部により電解液の濾過が行われるため、電槽内への異物の混入が抑制され、異物の混入よって電池に生じる不都合等の発生が抑制されるようにもなる。
【００１０】
好ましい構成として、前記注入される方向から見た開口の大きさは、前記貫通する方向から見た開口の大きさの２５％以下かつ２％以上の大きさである。
このような構成によれば、液はねの飛沫の孔部の通過の抑制効果と、フィルタ部への電解液の滞留の抑制効果とを両立させることができる。
【００１１】
好ましい構成として、前記電解液は非水電解質を含んでいる。
このような構成によれば、非水電解質によって注入口に溶接不良が生じるおそれが低減される。
【００１２】
好ましい構成として、前記貫通する方向から見た孔部の開口は、開口している最短の距離が１００マイクロメートル以下に設定されている。
このような構成によれば、１００マイクロメートルより大きい異物の侵入が防がれるため、こうした異物が極板群と電槽の外壁とを短絡させるおそれ等が低減される。
【００１３】
好ましい構成として、前記フィルタ部は、板材からなり、前記板材の複数の箇所にはそれぞれ前記注入される方向に段差が形成されており、前記孔部は前記段差部分に形成されている。
【００１４】
このような構成によれば、板材を段違いとすることにより、注入される方向に対する開口の大きさよりも、貫通する方向の開口の大きい孔部を設けることができる。なお、孔部は、例えば、段違いをプレス成形するとき、段差部分で板材を剪断させて形成することができる。
【００１５】
好ましい構成として、前記フィルタ部は、前記注入口から前記電槽内に延びる有底の筒状体であり、前記孔部は、前記筒状体の周側面に設けられている。
このような構成によれば、注入される方向に対し、貫通する方向が直交、もしくは直交に近いかたちになるため、電槽内ではね返った電解液の飛沫が孔部を通り抜けて注入口に付着するおそれが小さい。
【００１６】
好ましい構成として、前記フィルタ部は、所定の厚みの板材からなり、前記孔部は、前記注入される方向に対して傾斜を有するように前記板材に貫通されている。
このような構成によれば、板材に複数の孔部を設けることによってもフィルタ部を設けることができる。
【００１７】
好ましい構成として、前記板材は、前記電槽内に突出する形状に湾曲しており、前記孔部は、前記板材の平面であって前記注入される方向に対して傾斜する垂線方向を有する部分に設けられている。
【００１８】
このような構成によれば、注入される方向に対して傾斜する貫通する方向を有する孔部を、板材に短い長さで形成することができるようにもなるため、フィルタ部の形成が容易になる。
【発明の効果】
【００１９】
この二次電池によれば、製造に際して、電解液が注入口に付着することを抑制することができる。
【図面の簡単な説明】
【００２０】
【図１】二次電池を具体化した第１の実施形態について、その概略斜視構造を示す斜視図。
【図２】同実施形態における二次電池の蓋体の構造とその一部の拡大構造を示す上面図。
【図３】図２の３−３線における蓋体の注入口の断面構造を示す断面図。
【図４】同実施形態における注入口の拡大端面構造を示す端面図。
【図５】二次電池を具体化した第２の実施形態について、その注入口の拡大断面構造を示す断面図。
【図６】二次電池を具体化した第３の実施形態について、その注入口の拡大端面構造を示す端面図。
【図７】二次電池を具体化した他の実施形態について、その注入口の斜視構造を示す斜視図。
【発明を実施するための形態】
【００２１】
（第１の実施形態）
図１〜図４に従って、二次電池１０を具体化した第１の実施形態について説明する。本実施形態の二次電池１０は、バスバーで複数が接続されることにより組電池を構成する。組電池は、電気自動車もしくはハイブリッド自動車に搭載され、電動モータ等に電力を供給する。二次電池１０は、リチウムイオン二次電池等の非水電解質二次電池であり、外形が直方体形状の密閉式電池である。
【００２２】
図１に示すように、二次電池１０は、開口部を有する直方体形状の電池ケース１１と、電池ケース１１を封止する蓋体１２と、電池ケース１１の内部に収容される極板群１７及び電解液７５（図４参照）とを備える。電池ケース１１及び蓋体１２はアルミ部材などの金属で構成されている。つまり、二次電池１０は、電池ケース１１に蓋体１２が取り付けられることで密閉された電槽が構成されている。また二次電池１０は、蓋体１２の外側面２ａ（図２参照）に、電力の充放電に用いられる２つの外部端子１３と、安全弁１４と、電槽内に電解液を注入する注入口１５とを備えている。なお、図１に示す注入口１５は、注入口１５の開口を密閉する蓋部材１６が溶接されている状態を示している。蓋部材１６もアルミ部材などの金属で構成されている。
【００２３】
図２は、蓋部材１６が溶接される前の注入口１５について示す。
注入口１５は、蓋体１２に円形の穴として設けられており、蓋体１２の外側面２ａから円形に一段凹んだ第１段目５ａと、第１段目５ａの内側に円形かつ第１段目５ａから一段凹んだ第２段目５ｂと、第２段目５ｂの内側に円形かつ第２段目５ｂから一段凹んだ第３段目５ｃとを備える。第３段目５ｃは、注入口１５の底部であるが、電解液が通過可能な構成を有している。第１段目５ａ、第２段目５ｂ及び第３段目５ｃは、蓋体１２の外側面２ａを削ったり、蓋体１２をプレスしたりすることで形成される。
【００２４】
図３に示すように、第１段目５ａは、蓋部材１６が載置されるとともに、溶着される部分である。第２段目５ｂは、電槽へ電解液を注入するとき、電解液の注入ノズル７のシール部７Ａが嵌合する部分である。第３段目５ｃは、蓋体１２に一体の薄い板状の部分である。第３段目５ｃは、蓋体１２において外側面２ａの厚みが薄くなった部分である。第３段目５ｃは、電解液の注入ノズル７の注液部７Ｂが入り込み、注液部７Ｂから電解液が注入される。また、第３段目５ｃは、電解液を通過させ、濾過するフィルタ部５０を備える。
【００２５】
フィルタ部５０は、注入ノズル７から注入される電解液を濾過する機能を有する。フィルタ部５０は、所定の大きさの異物、例えば、１００マイクロメートル（μｍ）よりも大きな異物を除去する。つまり、フィルタ部５０は、電解液を蓋体１２の外側面２ａから内側面２ｂの方向に通過させる一方、所定の大きさの異物については通過させないように構成されている。
【００２６】
図４に示すように、具体的には、フィルタ部５０は、複数の孔部５１を備えている。複数の孔部５１は、第３段目５ｃにプレス成形により形成されている。第３段目５ｃは、プレス成形によって形成された、板材の一部分が表側（外側面２ａの側）に移動された上段５２と、他の部分が裏側（内側面２ｂの側）に移動された下段５３と、上段５２と下段５３との間の段差とを有する。そして、段差の一部が上下に破断することで孔部５１が形成される。なお、破断面は、電解液が通りやすい形状に整形される態様がよい。孔部５１は、上段５２と下段５３との間に最短の離間距離として、異物の通過を防止する機能を有する開口幅ａからなる最短の離間距離を維持している。ここで、最短の離間距離は、例えば１００μｍ以下、より好ましくは１００μｍ以下かつ７０μｍ以上に設定されている。
【００２７】
ところで孔部５１は、プレス成形により上下方向に破断された部分であることから、上下方向である表側から見るとその開口の大きさが小さく、角度を傾けて見ると開口の大きさがより大きく見える。ここで孔部５１の中央を通る方向を孔部５１の貫通方向とする。このとき孔部５１の貫通方向５１ｃは、注入口１５の貫通方向、つまり注入ノズル７が電解液７５を注入する方向（注入方向）に対して傾斜する。また孔部５１は、注入方向から見たときの開口幅ｂが貫通方向５１ｃから見たときの開口幅ａよりも小さく見える「開口幅ａ＞開口幅ｂ」の関係になる。よって、フィルタ部５０は、注入方向から見ると孔部５１の見た目の開口は開口幅ｂで小さいが、電解液７５が段差部分に流れ込むことで孔部５１の開口が実質的な開口幅ａの大きさになり、電解液７５が滞留することなく裏側に流れる。
【００２８】
なお、孔部５１は、上段５２と下段５３との延びる長さに応じて任意の長さを有することができる、例えばスリット状にもできるが、長さ方向のどの位置においても最短距離として開口幅ａが維持されることで、少なくとも開口幅ａよりも大きい大きさの異物の通過を防止することができる。
【００２９】
また、電解液７５は、フィルタ部５０を通過した後すぐに極板群１７に当たって跳ね返り（液はね）を生じたり、フィルタ部５０の近くで極板群１７に一時滞留した液だまりで液はねを生じたりする。フィルタ部５０の近傍で生じた液はねは、その液はねの飛沫がフィルタ部５０の孔部５１を通り抜けて注入口１５に付着するおそれがある。
【００３０】
ところで本実施形態では、孔部５１の開口が「開口幅ａ＞開口幅ｂ」の関係にある。つまり、孔部５１は、電槽内から見たときであっても、電解液７５が流れ落ちてくる方向である反注入方向に対して、その貫通方向５１ｃが傾斜を有するとともに、見た目の開口幅ｂが小さい。このため、電槽内で液はねした飛沫が開口幅ｂの開口に進入する可能性が小さくなるとともに、開口に進入したとしても傾斜する孔部５１を孔部５１の壁面に接触することなく通り抜ける可能性が小さくなる。よって、電槽内で液はねした飛沫が孔部５１を外方に向けて通過して注入口１５に付着するおそれが低減する。
【００３１】
開口幅ｂは、開口幅ａの２５％以下かつ２％以上の大きさ、好ましくは１５％以下かつ５％以上の大きさ、より好ましくは１０％以下かつ５％以上の大きさに設定される。つまり、開口幅ａが１００μｍ以下かつ７０μｍ以上の場合、開口幅ｂは２５μｍ以下かつ１．４μｍ以上の範囲に設定される。ここで２５μｍは１００μｍの２５％の値であり、１．４μｍは７０μｍの２％の値である。これにより、液はねの飛沫の孔部５１の通過の抑制効果と、フィルタ部５０の上部に対する電解液の滞留の抑制効果とを両立させることができる。
【００３２】
なお、電解液が注入されるとき、注入ノズル７のシール部７Ａが第２段目５ｂに嵌合するが、このときシール部７Ａと第２段目５ｂとの間に電解液が滞留することとなると、この滞留した電解液がシール部７Ａと第２段目５ｂとの間に進入して第２段目５ｂに広がることとなる。よって、第２段目５ｂが第１段目５ａに隣接する部分まで電解液が付着することとなる。
【００３３】
さらに、シール部７Ａと第２段目５ｂとの間に収容できる量よりも多くの電解液が進入すると、過剰な電解液は、注入ノズル７の周囲にしみ出して第１段目５ａにまで広がるおそれがある。つまり、電解液が、蓋部材１６が溶接される部分である第１段目５ａに付着することとなる。
【００３４】
そこで、注入口１５を封止する蓋部材１６の溶着不良の要因となる電解液７５の注入口１５への付着、特に第１段目５ａへの付着や、第２段目５ｂの第１段目５ａに近い部分への付着は低減させる必要がある。よって、電槽内は液はねた電解液の飛沫であってもこれを注入ノズル７や注入口１５へ付着するおそれを低減することで、注入口１５への蓋部材１６の溶着不良が軽減されるようになる。
【００３５】
以上説明したように、本実施形態の二次電池１０によれば、以下に記載するような効果が得られるようになる。
（１）電解液７５の注入方向、いわゆる電解液７５が流れ落ちる方向には、孔部５１の貫通方向が注入方向に対して傾斜を有し、かつ見た目の開口が小さくなるため、電槽内ではねた電解液７５の飛沫が孔部５１を通過して注入口１５に付着するおそれが低減される。そして、その上でフィルタ部５０の孔部５１により電解液７５の濾過が行われるため、電槽内への異物の混入が抑制され、異物の混入よって電池に生じる不都合等の発生が抑制されるようにもなる。
【００３６】
（２）液はねの飛沫の孔部５１の通過の抑制効果と、フィルタ部５０の上部に対する電解液７５の滞留の抑制効果とを両立させることができる。
（３）非水電解質が注入口１５への蓋部材１６の溶接不良が生じるおそれが低減される。
【００３７】
（４）フィルタ部５０によって１００μｍより大きい異物の侵入が防がれるため、こうした異物が極板群と電槽の外壁とを短絡させるおそれ等が低減される。
（５）板材を段違い、つまり上段５２と下段５３とにすることにより、注入方向に対する開口の大きさよりも、貫通方向の開口の大きい孔部５１を設けることができる。なお、孔部５１は、例えば、段違いをプレス成形することで段差部分の板材を剪断させて形成することができる。
【００３８】
（第２の実施形態）
図５に従って、二次電池１０を具体化した第２の実施形態について説明する。本実施形態では、フィルタ部６０の構成が第１の実施形態と相違する。そこで、以下では、主に第１の実施形態と相違する構成について詳細に説明することとし、説明の便宜上、同様の構成については同じ符号を付して詳細な説明を割愛する。
【００３９】
図５に示すように、注入口１５は、第１段目５ａと、第２段目５ｂと、第２段目５ｂから電槽内に延びる有底の筒状体である第３段目５ｃとを備える。第３段目５ｃは、筒状体の周側面６１と底部６３とを有している。また第３段目５ｃには、電解液を濾過するフィルタ部６０が設けられている。
【００４０】
フィルタ部６０は、第３段目５ｃの筒状体の周側面６１に注入方向に延びる複数のスリット状の孔部６２を備える。スリット状の孔部６２は、約１００μｍよりも大きい異物を除去する。スリット状の孔部６２は、スリットの幅を最短の離間距離として所定の大きさ、ここでは１００μｍよりも大きい異物を除去する。
【００４１】
ところでスリット状の孔部６２は、注入方向に延びる筒状体の周側面に開口された部分であることから、注入方向から見るとその大きさが見えないか、見えたとしても小さい一方、貫通方向から見ると最大の大きさでみることができる。また、スリット状の孔部６２は、その貫通方向が注入方向に対して傾斜している。つまり、スリット状の孔部６２は、注入方向に見たときの開口幅ｂが貫通方向に見たときの開口幅ａよりも小さく見える「開口幅ａ＞開口幅ｂ」の関係になっている。また、底部６３には孔は設けられていない。
【００４２】
よって、スリット状の孔部６２は、電槽内で液はねした電解液の飛沫の外方への通過を抑制し、注入口１５に電解液が付着するおそれを低減させる。
また、フィルタ部６０は、注入方向から見たとき、スリット状の孔部６２の開口は小さいものの、電解液７５が筒状体に流れ込むことでスリット状の孔部６２の開口が実質的な大きさになり、電解液７５を滞留なく裏側に流せるようになっている。
【００４３】
以上説明したように、本実施形態の二次電池１０は、上記第１の実施形態にて記載した（１）〜（４）の効果に加えて、以下に記す効果を有する。
（６）スリット状の孔部６２の貫通方向が注入方向に対して、直交、もしくは直交に近いかたちになるため、電槽内ではね返った電解液の飛沫がスリット状の孔部６２を通り抜けて注入口１５に付着するおそれが小さい。
【００４４】
（第３の実施形態）
図６に従って、二次電池１０を具体化した第３の実施形態について説明する。本実施形態では、フィルタ部７０の構成が第１の実施形態と相違する。そこで、以下では、主に第１の実施形態と相違する構成について詳細に説明する。
【００４５】
図６には、フィルタ部７０を示す。フィルタ部７０は、注入口１５の第３段目５ｃに設けられている。本実施形態では、第３段目５ｃは、所定の板厚を有する板材としての板体７１であり、中心部を電槽内に最も突出させる湾曲形状をしている。
【００４６】
フィルタ部７０は、湾曲している板体７１に複数の孔部７２を有している。孔部７２は、板体７１に貫通形成されており、その貫通方向は注入方向に対して傾斜している。孔部７２は、板体７１の電槽内に最も突出した部分及びその近傍を除いた位置に設けられている。つまり、孔部７２は、板体７１のうち注入方向に対して傾斜する垂線方向を有する平面の部分に設けられる。
【００４７】
ところで、板体７１は湾曲していることから、電槽内に突出した部分は、その垂線方向と注入方向とのなす角が小さい、そして、板体７１の外周に近づくにつれてその垂線方向と注入方向とのなす角が大きくなっていく。よって、板体７１に、長さが短くなるように孔部７２を形成することで孔部７２の貫通方向がおのずと注入方向に対して傾斜するようになる。
【００４８】
本実施形態でも、孔部７２の貫通方向が注入方向に傾斜するから、孔部７２を注入方向に見る開口幅ｂが貫通方向に見る開口幅ａよりも小さいものとすることができる。また、電槽内に最も突出した部分及びその近傍に設けないことで、孔部７２から電槽内の液はね部分までの距離を広く確保し、電槽内での液はねによる飛沫が注入口１５に付着することを抑制することができる。さらに、板体７１を電槽内に突出する湾曲形状とすることで、電槽内に電解液が流れ込み易くできる。
【００４９】
以上説明したように、本実施形態の二次電池１０は、上記第１の実施形態にて記載した（１）〜（４）の効果に加えて、以下に記す効果を有する。
（７）板体７１に複数の孔部７２を設けることによってもフィルタ部７０を設けることができる。
【００５０】
（８）注入方向に対して傾斜する貫通方向を有する孔部７２を、板体７１に短い長さで形成することができるようにもなるため、フィルタ部７０の形成が容易になる。
（その他の実施形態）
・上記第３の実施形態では、板体７１の最も電槽内に突出した部分及びその近傍を除いた位置に設けられている場合について例示した。しかしこれに限らず、孔部は、その貫通方向が注入方向に傾斜するのであれば、板体の最も電槽内に突出した部分やその近傍に設けられてもよい。
【００５１】
・上記第２の実施形態では、筒状体の周側面６１にスリット状の孔部６２が設けられている場合について例示した。しかしこれに限らず、筒状体の周側面に設けられる孔部の構造は、電解液の異物を除去でき、かつ、電解液の液はねを抑制させる構造であればどのような構造であってもよい。
【００５２】
例えば、図７に示すように、電槽内に延びる有底の筒状体（第３段目）の周側面８２に電解液を濾過する網８４を有するフィルタ部８０を設けてもよい。網８４は複数の孔部としての目を備え、それら目の大きさはそれぞれ、１００μｍよりも大きい異物を除去することができる大きさである。なお、底部８３には、孔が形成されていない。よって、注入方向に見た開口幅ｂは「０」であり、貫通方向に見た開口幅ａとの間に、開口幅ａ＞開口幅ｂの関係が維持される。
【００５３】
なお、フィルタ部８０を蓋体１２と一体としてもよいが、別体としてもよい。
別体とする場合、フィルタ部８０には、注入口１５の第２段目５ｂに当接するフランジ８１を設け、蓋体１２の外側面２ａから組み付けるようにしてもよい。このとき、フランジ８１の厚みを第１段目５ａと第２段目５ｂとの間の段差よりも低くすれば、上記の実施形態と同様の態様で、注入口１５を介して注入ノズル７から電解液を注入することができる。
【００５４】
・上記第２の実施形態では、スリットが縦方向に形成されている場合について例示したが、これに限らず、スリットが形成される方向は、横方向でも、斜め方向でもよく、また、縦横斜めの２方向以上が組み合わされてもよい。
【００５５】
・上記第２の実施形態やその他の実施形態では、底部６３，８３に孔部が設けられていない場合について例示したが、これに限らず、底部に幾つかの孔部が設けられていてもよい。こうした孔部も、液はねした電解液の通過を抑制できるように貫通方向が注入方向に対して傾斜を有しているとなおよい。
【００５６】
・上記第１の実施形態では、プレスにより破断された段差が形成される場合について例示したが、これに限らず、貫通方向が流通方向に対して傾斜するとともに、適切な大きさの開口を有する孔部が設けられるのであれば、孔部はどのように設けられてもよい。
【００５７】
・上記各実施形態では、孔部は１００μｍ以下かつ７０μｍ以上の最短の離間距離を有する場合について例示したが、これに限らず、除去する必要のある異物の大きさに応じて、孔部の最短の離間距離を７０μｍよりも狭くしてもよいし、逆に１００μｍよりも広くしてもよい。
【００５８】
・上記各実施形態では、二次電池１０はリチウムイオン二次電池から構成される場合について例示したが、これに限らず、他の二次電池、例えば、ニッケル水素二次電池等であってもよい。
【００５９】
・上記各実施形態では、二次電池１０が電気自動車もしくはハイブリッド自動車に搭載される場合について例示したが、これに限らず、二次電池は、ガソリン自動車やディーゼル自動車等、電気自動車やハイブリッド自動車以外の車両に搭載されてもよい。また二次電池は、電源として、自動車以外の移動体や、固定設置される電源として用いられてもよい。例えば、自動車以外の電源としては、鉄道、船舶、航空機やロボット等の移動体や、情報処理装置等の電気製品の電源等が挙げられる。
【符号の説明】
【００６０】
２ａ…外側面、２ｂ…内側面、５ａ…第１段目、５ｂ…第２段目、５ｃ…第３段目、７…注入ノズル、７Ａ…シール部、７Ｂ…注液部、１０…二次電池、１１…電池ケース、１２…蓋体、１３…外部端子、１４…安全弁、１５…注入口、１６…蓋部材、１７…極板群、５０…フィルタ部、５１…孔部、５１ｃ…貫通方向、５２…上段、５３…下段、６０…フィルタ部、６１…周側面、６２…孔部、６３…底部、７０…フィルタ部、７１…板体、７２…孔部、７５…電解液、８０…フィルタ部、８１…フランジ、８２…周側面、８３…底部、８４…網。
【図１】
2017152322.tif 000003
【図２】
2017152322.tif 000004
【図３】
2017152322.tif 000005
【図４】
2017152322.tif 000006
【図５】
2017152322.tif 000007
【図６】
2017152322.tif 000008
【図７】
2017152322.tif 000009